(57)【要約】【課題】  側壁部に空気を注入する必要がない折りたたみ洗髪器を提供すること。【解決手段】  折りたたみ可能な洗髪器１０は、上面開口した容器状の本体２０と、本体２０に形成された排水用の孔２５、２６に接続可能なホース５０とを備え、本体２０の側壁部２２の一部分において、側壁部２２の上端部２２ａから下方に凹部２７が形成され、凹部２７に人の首を置いてその人の頭を本体２０内に入れることができ、本体２０はその形状を保持可能な弾力ある合成樹脂で形成されている。さらに、本体２０に外力を加えたときに、本体２０は折りたたみ可能である。また、本体２０の側壁部２２の上端部２２ａに一対の折りたたみ用切欠２８、２９が形成され、この一対の折りたたみ用切欠２８、２９は本体２０の側壁部２２の互いに対向する位置に形成されている。【選択図】        図１
2007135691.tif 000002
【特許請求の範囲】
【請求項１】
上面開口した容器状の本体と、この本体に形成された排水用の孔に接続可能なホースとを備え、
前記本体の側壁の一部分において、前記側壁の上端部から下方に凹部が形成され、
この凹部に人の首を置いて前記人の頭を前記本体内に入れることができ、
前記本体はその形状を保持可能な弾力ある合成樹脂で形成され、
さらに、前記本体に外力を加えたときに、前記本体は折りたたみ可能であることを特徴とする折りたたみ可能な洗髪器。
【請求項２】
請求項１に記載した折りたたみ可能な洗髪器であって、
前記本体の側壁の上端部に一対の折りたたみ用切欠が形成され、この一対の折りたたみ用切欠は前記本体の側壁の互いに対向する位置に形成されていることを特徴とする折りたたみ可能な洗髪器。
【請求項３】
請求項１〜２に記載した折りたたみ可能な洗髪器であって、
前記本体は発泡ポリエステル、発泡ウレタンもしくはウレタンゴムにて一体に成形されていることを特徴とする折りたたみ可能な洗髪器。
【請求項４】
請求項１〜３に記載した折りたたみ可能な洗髪器であって、
前記本体の内側の底部に面ファスナーにより枕を着脱自在に取付けたことを特徴とする折りたたみ可能な洗髪器。
【発明の詳細な説明】
【技術分野】
【０００１】
本発明は、病人等の頭髪を洗うのに適した折りたたみ可能な洗髪器に関し、特に、折りたたみが容易な折りたたみ可能な洗髪器に関するものである。
【背景技術】
【０００２】
従来、折りたたみ可能な洗髪器として、空気注入により膨張する柔軟性チューブで構成した側壁と、この側壁の下端全域にわたって張設される底布とからなり、前記側壁の一部を首保持部としたボウル状本体を備えたものが知られている（例えば特許文献１参照）。
【特許文献１】実用新案登録第２５９２８８６号公報
【発明の開示】
【発明が解決しようとする課題】
【０００３】
しかし、上述の従来例では、側壁を膨張させるときに空気を注入する必要があり、また側壁を折りたたむときには側壁から空気を排気する必要があるので、手間がかかるという問題があった。
そこで、本発明が解決しようとする課題は、側壁に空気を注入する必要がない折りたたみ可能な洗髪器を提供することである。
【課題を解決するための手段】
【０００４】
上記課題を解決するため、請求項１記載の発明は、上面開口した容器状の本体と、この本体に形成された排水用の孔に接続可能なホースとを備え、前記本体の側壁の一部分において、前記側壁の上端部から下方に凹部が形成され、この凹部に人の首を置いて前記人の頭を前記本体内に入れることができ、前記本体はその形状を保持可能な弾力ある合成樹脂で形成され、さらに、前記本体に外力を加えたときに、前記本体は折りたたみ可能であることを特徴とする折りたたみ可能な洗髪器である。
これにより、折りたたみ可能な洗髪器の上面開口した容器状の本体の側壁部の上端部から下方に形成された凹部に洗髪する人の首をおいてその人の頭を前記本体内に入れてその人の頭髪を洗うことができる。そして、洗髪に使用した水は前記本体の排水用の孔から排水される。また、前記本体はその弾力性によりその形状を保持する。さらに、前記本体の弾力性により、前記本体に外力を加えて前記本体を折りたたむことができる。
【０００５】
さらに、請求項２記載の発明は、請求項１に記載した折りたたみ可能な洗髪器であって、前記本体の側壁の上端部に一対の折りたたみ用切欠が形成され、この一対の折りたたみ用切欠は前記本体の側壁の互いに対向する位置に形成されていることを特徴とする折りたたみ可能な洗髪器である。
これにより、前記本体の側壁の上端部の互いに対向する位置に形成された一対の折りたたみ用切欠を折目として前記本体を折りたたむことができる。
【０００６】
さらに、請求項３記載の発明は、請求項１〜２に記載した折りたたみ可能な洗髪器であって、前記本体は発泡ポリエステル、発泡ウレタンもしくはウレタンゴムにて一体に成形されていることを特徴とする折りたたみ可能な洗髪器である。
これにより、前記本体が発泡ポリエステル、発泡ウレタンもしくはウレタンゴムにて一体に成形されているので、前記請求項２記載の本体を構成するのに適したものとなる。
【０００７】
さらに、請求項４記載の発明は、請求項１〜３に記載した折りたたみ可能な洗髪器であって、前記本体の内側の底部に面ファスナーにより枕を着脱自在に取付けたことを特徴とする折りたたみ可能な洗髪器である。
これにより、前記本体の内部の底部に取付ける枕の位置を変えることができる。
【発明の効果】
【０００８】
請求項１記載の発明によれば、洗髪器を持ち運び可能および折りたたみ可能とすることができる。また、洗髪器の本体の側壁部に空気を注入しないので、本体を折りたたむときに本体の側壁部から空気を排気する必要がない。
さらに、請求項２記載の発明によれば、請求項１記載の発明の効果とともに、洗髪器の本体を折りたたむことが容易になる。
さらに、請求項３記載の発明によれば、請求項１〜２に記載した発明の効果とともに、折りたたみ可能な洗髪器を構成することが容易になる。
さらに、請求項４記載の発明によれば、請求項１〜３記載の発明の効果とともに、洗髪する人の頭部の位置に合わせて洗髪器の本体の枕の位置を調節することができる。
【発明を実施するための最良の形態】
【０００９】
以下、本発明における実施の形態を図面に基づいて説明する。
図１は本発明の実施の形態に係る折りたたみ可能な洗髪器を示し、図２は図１の折りたたみ可能な洗髪器の接続部を分解して示し、図３は図１の折りたたみ可能な洗髪器の枕を示す。また、図４は図１の折りたたみ可能な洗髪器を折りたたむ途中の状態を示し、（ａ）は平面を示し、（ｂ）は右側面を示し、図５は図１の折りたたみ可能な洗髪器を折りたたんだ状態を示し、（ａ）は平面を示し、（ｂ）は右側面を示す。さらに、図６は図１の折りたたみ可能な洗髪器の使用例を示す。
【００１０】
図１に示すように、折りたたみ可能な洗髪器１０は上面開口した容器状の本体２０と、この本体２０に形成された一対の排水用の孔２５，２６に接続可能なホース５０とを備えている。具体的には、本体２０の上面に開口部２１が形成されている。孔２５、２６は側壁部２２の下端の互いに対向する箇所に形成されている。なお、本体２０の開口面は長方形状または正方形状である。
【００１１】
また、図２に示すように、ホース５０を本体２０の排水用の孔２５に接続する接続部３０は、側壁部２２の外側から孔２５に差し込まれている筒状の差込部材３１、側壁部２２の内側で差込部材３１に螺合して差込部材３１を側壁部２２に固定するナット状部材３６およびナット部材３６と側壁部２２との間に介在されるパッキン３５を備えている。なお、差込部材３１はフランジ３２、差込部材３１の外面に形成された雄ネジ３３および差込部材３１の内面に形成された雌ネジ３４を備えている。ナット状部材３６は前記雄ネジ３３に螺合する。ホース５０の筒状先端の外面に雄ネジ５１が形成され、この雄ネジ５１が
雌ネジ３４に螺合している。
【００１２】
また、図１に示すように、排水用の孔２６には接続部４０が取付けられ、接続部４０の外側は栓６０で閉じられている。なお、栓６０には図示しない雄ネジ（ホース５０の雄ネジ５１に相当する。）が形成され、この雄ネジが接続部４０の雌ネジ（接続部３０の雌ネジ３４に相当する。）に螺合している。
そして、図６に示すように、本体２０の側壁部２２の一部分において、側壁部２２の上端部２２ａから下方に凹部２７が形成され、この凹部２７に人８３の首８４を置いて前記人８３の頭８５を本体２０に入れることができる。なお、上端部２２ａおよび凹部２７には縁部２３が連設されている。
本体２０はその形状を保持可能な弾力ある合成樹脂で形成され、さらに、本体２０に外力を加えたときに、本体２０は折りたたみ可能である。例えば、本体２０は発泡ポリエステル、発泡ウレタンもしくはウレタンゴムにて一体に成形されている。
【００１３】
さらに、本体２０の側壁部２２の上端部２２ａに一対の折りたたみ用切欠２８、２９が形成され、この一対の折りたたみ用切欠２８、２９は本体２０の側壁部２２の互いに対向する位置に形成されている。なお、一対の折りたたみ用切欠２８、２９は縁部２３をも切り欠いている。
さらに、本体２０の内側の底部２４に面ファスナー７１により枕７０を着脱自在に取付けることができる。具体的には、枕７０の底面に面ファスナー７１の一方の部材７２が付設され、本体２０の内部の底部２４に面ファスナー７１の他方の部材７３が付設されている。この他方の部材７３は凹部２７の方に延びた帯状に形成されている。
【００１４】
上記構成の折りたたみ可能な洗髪器１０は、以下の動作をする。
図６に示すように、病人等の洗髪する人８３が床８８上のベッド８９に寝ている。前記人８３の首８４を洗髪器１０の本体２０の側壁部２２の上端部２２ａから下方に形成された凹部２７において、その人８３の頭８５を本体２０内に入れてその頭髪８６を洗うことができる。ここで、ホース８２が水道に接続されており、介護人８７がホース８２の先端のシャワー用ノズル８１を手で持って人８３の頭髪８６にシャワー用ノズル８１の水をかけている。そして、洗髪に使用した水は本体２０内に溜まり、その後排水用の孔２５からホース５０を経てタンク５３に導かれている。
なお、タンク５３の配置等により、孔２５の代わりに孔２６を使用してもよい。
【００１５】
さらに、図４および図５に示すように、本体２０の弾力性により、本体２０を折りたたむことができる。具体的には、本体２０の側壁部２２の上端部２２ａの互いに対向する位置に形成された一対の折りたたみ用切欠２８、２９を折目として本体２０を折りたたむことができる。その際、枕７０を本体２０から取り外して本体２０を折りたたむことができる。折りたたんだ本体２０は平板状になる。
さらに、本体２０が発泡ポリエステル、発泡ウレタンもしくはウレタンゴムにて一体に成形されているので、本体２０の弾力性が充分なものとなる。
さらに、図３に示すように、本体２０の内部の底部２４に取付ける枕７０の位置を変えることができる。
【００１６】
さらに、本体２０は、ベッド８９上に横になった人８３の頭髪８６を洗う際に、寝具等の水濡れを軽減することができる大きさでありながら、使用しないときには、折りたたむなどして、コンパクトになる。
また、洗髪をされる人８３が横になっていても、介護人８７が寝具等の水濡れを心配することなく洗髪を施すことができる。また、高齢者、要介護者等が起きたり移動することなく、洗髪が可能となり、介護人８７が洗髪器１０を携帯して出張して高齢者、要介護者等の洗髪をすることができる。
【００１７】
なお、上記実施の形態において、本体２０および枕７０の形状は図示されたものに限定されないで、種々の形状を取ることができる。
【図面の簡単な説明】
【００１８】
【図１】本発明の実施の形態に係る折りたたみ可能な洗髪器を示す斜視図である。
【図２】図１の折りたたみ可能な洗髪器の接続部を分解して示す斜視図である。
【図３】図１の折りたたみ可能な洗髪器の枕を示す斜視図である。
【図４】図１の折りたたみ可能な洗髪器を折りたたむ途中の状態を示し、（ａ）は平面図であり、（ｂ）は右側面図である。
【図５】図１の折りたたみ可能な洗髪器を折りたたんだ状態を示し、（ａ）は平面図であり、（ｂ）は右側面図である。
【図６】図１の折りたたみ可能な洗髪器の使用例を示す説明図である。
【符号の説明】
【００１９】
１０  洗髪器
２０  本体
２１  開口部
２２  側壁部
２２ａ  上端部
２５、２６  排水用の孔
２７  凹部
２８、２９  折りたたみ用切欠
５０  ホース
８３  人
８４  首
８５  頭
８６  頭髪
７０  枕
７１  面ファスナー
【図１】
2007135691.tif 000003
【図２】
2007135691.tif 000004
【図３】
2007135691.tif 000005
【図４】
2007135691.tif 000006
【図５】
2007135691.tif 000007
【図６】
2007135691.tif 000008